(57)【特許請求の範囲】
【請求項１】
車両のエンジンフードの前端縁を受けるフードエッジをフロントグリルの上方に備える車両前部構造であって、
前記フードエッジは、前記フードエッジの前端縁から直線状に下方に延出して後面が平面である前端縁延出部を有し、
前記フロントグリルは、上端に、前記フードエッジが成す面の延長線上と前記前端縁延出部との間に延出するグリル支持部を有し、
前記グリル支持部の前面は、前記フードエッジが成す面の延長線上に位置し、
前記前端縁延出部は、前記グリル支持部と、前記フロントグリルの後方に備え付けられる支持部材とにより挟持されることを特徴とする車両前部構造。
【請求項２】
前記フードエッジは、側面視で、後方に向かうにつれて上方に位置していることを特徴とする請求項１に記載の車両前部構造。
【請求項３】
前記前端縁延出部は、下端に前方に延出する爪部をさらに有し、
前記グリル支持部は、前記爪部を嵌合可能に形成された断面視略Ｕ字状に形成された嵌合部を有し、
前記支持部材は、鉛直方向に延び、前記前端縁延出部を押圧する当接部を有し、
前記前端縁延出部は、
前記嵌合部に前記爪部が嵌合した前記グリル支持部と、前記支持部材の前記当接面とにより挟持されることを特徴とする請求項１又は請求項２に記載の車両前部構造。
【請求項４】
前記車両前部構造は、
前記フロントグリルの下方に配設されるフロントバンパと、
前記フードエッジの車幅方向の両端側から、前記フロントグリルに沿って下方に延出して、前記フロントバンパに連続する連結部と、をさらに備え、
前記フードエッジと前記連結部と前記フロントバンパとが一体的となっていることを特徴とする請求項１乃至請求項３のいずれか１項に記載の車両前部構造。
【請求項５】
前記フロントグリルは、車両内に外気を吸入する複数の外気吸入口を有し、
前記支持部材は、前記車両内に吸入した外気の流路を上下に仕切る仕切り部材であることを特徴とする請求項１乃至請求項４のいずれか１項に記載の車両前部構造。
【発明の詳細な説明】
【技術分野】
【０００１】
本発明は、フードエッジを備えた車両前部構造に関する。
【背景技術】
【０００２】
従来から、車両前部に配設されて、開閉するエンジンフードの前端縁を受ける部品として、フードエッジがある。このフードエッジは、金型により成形されてなる樹脂板であり、たとえば、下記特許文献１に開示されるように、車両前方に向かって緩やかに傾倒して、緩やかな曲面（以下、単に「緩曲面」という。）となるように成形されている。
【０００３】
また、このような緩曲面に成形されたフードエッジの背面側には、後端縁から下方に延出して、取付ビームに固定される後端縁延出部と、前端縁から後方に延出して、フロントグリルが取り付けられる前端縁延出部（下記特許文献１の「段部１２」に相当）が形成されている。なお、フードエッジの後端縁延出部が下方に延出するように形成されている理由は、後方に配設されるエンジンフードの開閉動作の軌道上にあると接触するおそれがあるためである。
【０００４】
ここで、フードエッジの前後両端に形成された後端縁延出部と前端縁延出部は、先端が互いに近接するように傾倒している。そのため、金型成形によりフードエッジを製造する場合において、金型を後方にスライドさせることにより離型していた。つまり、金型を後方にスライドさせることで、フードエッジの後端縁延出部が金型を乗り越え可能な程度に、緩曲面であるフードエッジが曲がるため、金型を抜き出すことができた。
【先行技術文献】
【特許文献】
【０００５】
【特許文献１】特開平９−３９８３５号公報
【発明の概要】
【発明が解決しようとする課題】
【０００６】
しかしながら、フードエッジの形状が、たとえば、急峻な面（以下、単に「急峻面」という。）の場合、また、前後方向の長さが短い場合など、上方に凸形状となっている場合がある。このような上方に凸形状のフードエッジを金型成形により製造しようとした場合、金型を後方にスライドさせても、急峻面等に成形されたフードエッジの曲がり幅が小さく、後端縁延出部が金型を乗り越えることが難しかった。
【０００７】
そのため、上方に凸形状のフードエッジを金型成形により製造する場合においては、金型を後端縁延出部に沿って下方にスライドさせることにより、離型しなければならないという、樹脂成形上の制限があった。つまり、従来技術によれば、金型成形上の制限により、上方に凸形状のフードエッジを金型成形する場合、後方に延出する前端縁延出部を形成することができず、前端縁延出部が金型を下方にスライドすることにより形成可能な形状に限られるという課題があった。
【０００８】
一方で、後方に延出する前端縁延出部の代替として、前端縁延出部をフードエッジの前方側に形成することが考えられる。また、この前端縁延出部によれば、金型を下方にスライドさせることにより形成可能な形状といえる。
【０００９】
しかしながら、フードエッジをはじめ、車両前面を構成するエンジンフードやフロントグリルは、デザイン的観点及び空力的観点から、隣接する部品との関係において、面一となることが要求される。そのため、フードエッジの前方に前端縁延出部を形成した場合、フードエッジとフロントグリルとの面が面一であるという、デザイン上及び空力上の要求を満たさないことになる。よって、デザイン上及び空力上の制限により、前端縁延出部をフードエッジの前方に形成することができない。
【００１０】
そこで、本発明は、前記する背景に鑑みて創案された発明であって、離型する際に金型を下方にスライドすることにより形成可能な前端縁延出部を備えたフードエッジであり、かつ、そのフードエッジと隣接するフロントグリルとが面一であるというデザイン上及び空力上の要求を満たす車両前部構造を提供することを課題とする。
【課題を解決するための手段】
【００１１】
前記課題を解決するために、本願発明に係る車両前部構造は、車両のエンジンフードの前端縁を受けるフードエッジをフロントグリルの上方に備える車両前部構造であって、前記フードエッジは、前記フードエッジの前端縁から直線状に下方に延出して後面が平面である前端縁延出部を有し、前記フロントグリルは、上端に、前記フードエッジが成す面の延長線上と前記前端縁延出部との間に延出するグリル支持部を有し、前記グリル支持部の前面は、前記フードエッジが成す面の延長線上に位置し、前記前端縁延出部は、前記グリル支持部と、前記フロントグリルの後方に備え付けられる支持部材とにより挟持されることを特徴とする。
【００１２】
本願発明に係る車両前部構造によれば、フードエッジの前端縁延出部は、前端縁から下方に延出してなるため、フードエッジを金型成形により製造する際に、金型を下方にスライドさせることにより形成可能な形状である。よって、前端縁延出部が一体となったフードエッジを金型成形により製造できる。
一方で、フロントグリルの取り付けに関し、フードエッジの前端縁延出部を、フロントグリルのグリル支持部とフロントグリルの後方に備え付けられる支持部材とで挟持する挟持構造とすることにより、フードエッジの下方にフロントグリルを取り付けることができる。
【００１３】
また、この前端縁延出部によれば、フードエッジの前端縁から下方に延出してなるため、この前端縁延出部と、フードエッジの面の前方延長上との間には空間が生じることとなるが、この空間には、フロントグリルの上端に形成されたグリル支持が延出する。
よって、このグリル支持部が前記する空間を充填するため、フードエッジとフロントグリルとが面一となり、デザイン上及び空力上の要求を満たすことができる。
【００１４】
また、本発明における前端縁延出部を備えたフードエッジと前記する挟持構造とによれば、車両前部に配設するフードエッジの面が緩曲面に限らず、急峻面も採用することができる。よって、フードエッジを含めた車両前面における設計の自由度を確保することができる。
【００１５】
また、本発明の挟持構造によれば、前端縁延出部を挟持する部材として、フロントグリルの後方に備え付けられる支持部材を用いているため、前端縁延出部を挟持する専用の部材が不要となり、部品点数の削減を図ることができる。
【００１６】
また、本願発明の車両前部構造は、前記フードエッジは、側面視で、後方に向かうにつれて上方に位置していることであってもよい。
【００１７】
前記したように、フードエッジが上方に凸形状であっても、金型成形により、前端縁延出部が一体形成されたフードエッジを製造することができるとともに、フードエッジの下方にフロントグリルを取り付けることができる。
【００１８】
また、本願発明の車両前部構造は、前記前端縁延出部が、下端に前方に延出する爪部をさらに有し、前記グリル支持部は、前記爪部を嵌合可能に形成された断面視略Ｕ字状に形成された嵌合部を有し、前記支持部材は、鉛直方向に延び、前記前端縁延出部を押圧する当接部を有し、前記前端縁延出部は、前記嵌合部に前記爪部が嵌合した前記グリル支持部と、前記支持部材の前記当接面とにより挟持されることが好ましい。
【００１９】
前記する構成によれば、前端縁延出部が前方に延出する爪部を有し、また、グリル支持部は爪部が嵌合可能に形成された断面視略Ｕ字状の嵌合部を有する。よって、爪部が嵌合部に嵌合して、上下方向に係合するため、前端縁延出部を挟持するフロントグリルが上下方向に移動するおそれがない。
また、前端縁延出部は、支持部材の鉛直方向に延びて前端縁延出部を押圧する当接部により挟持されるので、より強固な挟持構造とすることができる。
【００２０】
また、本願発明の車両前部構造は、前記フロントグリルの下方に配設されるフロントバンパと、前記フードエッジの車幅方向の両端側から、前記フロントグリルに沿って下方に延出して、前記フロントバンパに連続する連結部と、をさらに備え、前記フードエッジと前記連結部と前記フロントバンパとが一体的となっていることが好ましい。
【００２１】
前記する構成によれば、フードエッジとフロントバンパは、フードエッジの両端から延出する連結部により連結しているため、フードエッジとフロントバンパとを樹脂成形により一体成形することができる。これによれば、フードエッジとフロントバンパを部品ごとに樹脂成形し、組み合わせた場合に比べ、剛性の強化と部品点数の削減を図ることができる。
【００２２】
また、前記する構成によれば、フードエッジに取り付けられるフロントグリルは、一体成形されたフードエッジとフロントバンパと連結部に周囲を囲まれるため、振動によりフロントグリルが上下左右方向に位置ずれするおそれがない。
【００２３】
また、本願発明の車両前部構造は、前記フロントグリルが、車両内に外気を吸入する複数の外気吸入口を有し、前記支持部材は、前記車両内に吸入した外気の流路を上下に仕切る仕切り部材であることが好ましい。
【００２４】
前記する構成によれば、仕切り部材が、車両内に吸入した外気の流路を上下に仕切るため、外気をラジエタ冷却用外気と、エンジン吸気用外気とに分けることができ、熱されていない新鮮な外気をエンシンに供給することが可能となる。
【発明の効果】
【００２５】
以上、本発明によれば、離型する際に金型を下方にスライドすることにより成形可能な前端縁延出部を備えたフードエッジであり、かつ、そのフードエッジと隣接するフロントグリルとが面一であるというデザイン上及び空力上の要求を満たす車両前部構造を提供することができる。
【図面の簡単な説明】
【００２６】
【図１】実施形態に係る車両前部構造の外観を示す外観図であり、具体的には、車両前部を左上側から見た斜視図である。
【図２】実施形態に係るフロント樹脂部材の一部を前方上部側から見た一部拡大図である。
【図３】図１に示す車両前部構造をＡ―Ａ線で切った断面を車幅方向から見た断面図である。
【図４】図３に示す車両前部構造の断面の破線Ｃで囲まれる範囲を拡大した拡大図である。
【図５】実施形態に係るフロントグリルとグリルベースとバックプレートとが結合した状態の背面を右上側から見た斜視図である。
【図６】実施形態にバックプレートを左上側から見た斜視図である。
【図７】図１に示す車両前部構造をＢ―Ｂ線で切った断面を車幅方向から見た断面図である。
【発明を実施するための形態】
【００２７】
次に、本発明の実施形態に係る車両前部構造について、図面を適宜参照しながら説明する。なお、実施形態の車両前部構造の説明において、技術的に同一要素であるものについては、同一の符号を付している。
【００２８】
図１は、車両Ｖの前部を左上側から見た斜視図である。図１に示すように、実施形態に係る車両Ｖは、車両Ｖの前部に、中央部に開口部１０が形成されたフロント樹脂部材２と、その開口部１０に取り付けられるフロントグリル３とグリルベース４と、そのグリルベース４の後方に取り付けられるバックプレート５（図５参照）とを備えている。
以下において、車両Ｖの前部を、単に「車両前部１」と称し、また、車両前部１に係る構造を、単に「車両前部構造」と称する。そのほか、本実施形態においては、車両Ｖの前後方向を単に前後方向と称して説明する。車両Ｖの車幅方向を運転者から見て単に左右方向として、また、車両Ｖの高さ方向を単に上下方向と称して説明する。
【００２９】
図２は、実施形態のフロント樹脂部材２の一部を前方上部側から見た一部拡大図である。フロント樹脂部材２は、樹脂を金型により成形してなる部材であって、図２に示すように、左右方向に延出するとともに前後方向の長さが短いフードエッジ部６と、そのフードエッジ部６の左右両端から下方に延出する連結部７と、左右両側に延出するとともに、さらにその両端が後方側に延出するフロントバンパ部８との構成を備え、かつ、一体的に形成されている。
また、フロント樹脂部材２は、図２に示すように、フードエッジ部６と連結部７とフロントバンパ部８とが一体的に形成されていることにより、フードエッジ部６と連結部７とフロントバンパ部８とに囲まれた中央部に、前後方向に向かって開口する開口部１０を構成として備えている。
なお、本発明において、フロント樹脂部材２を形成するための樹脂材料の種類については特に制限されない。
【００３０】
ここで、フードエッジ部６は、図１に示すように、エンジンフードＥＨの前方に配置され、エンジンフードＥＨの前端縁を受ける部分であり、また、フロントバンパ部８は、車両前部１の下部側に配置されて、前方からの接触による荷重を吸収する部分である。そして、連結部７は、図１に示すように、上下方向でフードエッジ部６とフロントバンパ部８とに接続して連結し、フードエッジ部６とフロントバンパ部８とを一体的に形成するための連結部分である。
【００３１】
また、フードエッジ部６と連結部７とフロントバンパ部８とは、前記するそれぞれ役割のほかに、一体となって車両Ｖの前面を構成している。具体的に、実施形態のフードエッジ部６と連結部７とフロントバンパ部８は、デザイン上の観点および空力的観点より、断面視で、以下のように形成されている。
【００３２】
図３は、図１に示す車両前部１をＡ―Ａで切った断面を示すＡ―Ａ矢視断面図である。
フードエッジ部６は、図３に示すように、後方にあるエンジンフードＥＨの面が成す曲線の延長線Ｌに沿って、前方に延出するように形成されている。連結部７（図３において不図示）は、フードエッジ部６の面が成す延長線Ｌよりも下方側となるように、緩やかに下方側に曲がって延出し、緩やかな曲線Ｍ（図２参照）に沿って形成された面となっている。そして、フロントバンパ部８は、連結部７が成す面の曲線Ｍよりもさらに下方に曲がって、鉛直な面となるように形成されている。
【００３３】
そのほか、実施形態のフロント樹脂部材２において、図１及び図２に示すように、フードエッジ部６は、後端縁から延出する後端延出部１１と、前端に形成されるとともに爪部１５を有する前端縁延出部１２とを備えており、また、連結部７とフロントバンパ部８とは、端縁から内方である開口部１０内に向かって延出する内方延出部１３ａ、１３ｂとを備えている。
【００３４】
この後端延出部１１は、図３に示すように、フードエッジ部６の後端縁から下方に延出し、さらに後方に延出してなる部分である。そして、図３に示すように、後端延出部１１が下方側に位置する取付ビーム６０にビス止めされて、フードエッジ部６が車両Ｖに固定される。
【００３５】
図４は、図３に示す車両前部構造の破線Ｃで囲まれる範囲を拡大した一部拡大図である。前端縁延出部１２は、図４に示すように、フードエッジ部６の前端縁から下方に延出する部分であり、また、その下端には爪部１５が形成されている。
【００３６】
この前端縁延出部１２は、図４に示すように、フードエッジ部６の前端縁から下方に延出して、前方側と後方側を向く平面が形成されている。そして、前端縁延出部１２は、図４に示すように、前方から後述するグリル支持部３１が当接し、また、後方からバックプレート５の後述する押圧部４１が当接して、グリル支持部３１と押圧部４１とに挟持されている。
【００３７】
爪部１５は、図４に示すように、前端縁延出部１２の下端部から前方に向かって突出してなる部分であり、フロントグリル３に形成された後記する嵌合部３２に嵌合可能に形成されている。
【００３８】
内方延出部１３ａは、図２に示すように、連結部７の内方側の端縁から、背面側に延出するとともに、さらに開口部１０内に向かって延出してなる部分である。この内方延出部１３ａによれば、開口部１０に配設されるグリルベース４の背面側を支持できる。また、内方延出部１３ａには、開口部１０に配設されるグリルベース４の位置決めを容易にするための位置決めピン１６が形成されている。
【００３９】
また、内方延出部１３ｂは、フロントバンパ部８の上端縁から下側後方に延出してなる部分であって、開口部１０に配設されるグリルベース４をビス止めにより固定するための孔部１７が形成されている。
【００４０】
次に、グリルベース４と、フロントグリル３と、バックプレート５について説明する。
なお、図５は、フロントグリル３とグリルベース４とバックプレート５とが結合した状態の背面を左上側から見た斜視図である。
グリルベース４は、図３及び図５に示すように、開口部１０に取り付けられて、前方にフロントグリル３を固定し、後方にバックプレート５を固定するための部品である。
よって、グリルベース４は、図５に示すように、中央部にフロントグリル３の後記する突出部３３が挿入して係合する係合部２１と、開口部１０に取り付けられた場合に、内方延出部１３ａに形成された位置決めピン１６が嵌る凹部２２と、上部と側部と下部に形成された複数の孔部２３ａ、２３ｂ（上部の孔部は不図示）とを備えている。
【００４１】
ここで、グリルベース４の上部に形成された孔部（不図示）は、図５に示すように、バックプレート５をグリルベース４の上部後方側にビス止めにより固定するための孔であって、グリルベース４の上部吸入口２０ａと下部吸入口２０ｂとの間に形成されている。
また、図５に示すように、側部の孔部２３ａは、前方に配設されるフロントグリル３をビス止めにより固定するための孔である。そして、この上部と側部に形成された孔部２３ａより、図５に示すように、グリルベース４の前方にフロントグリル３が固定され、グリルベース４の後方にバックプレート５が固定される。
【００４２】
また、グリルベース４の下部に形成された孔部２３ｂは、内方延出部１３ｂに形成された孔部１７（図２参照）に対応する箇所に形成された孔であって、この下部に形成された孔部２３ｂに、内方延出部１３ｂの孔部１７を挿通するビスが固定されて、グリルベース４が開口部１０に固定される。
【００４３】
さらに、グリルベース４は、図３に示すように、開口部１０に固定された状態で、走行中に外気が車両Ｖ内に流入可能とするために、左右方向に延びるように形成された開口である吸入口２０が、上部と中央部から下部にかけて形成されている。なお、上部側の外気Ｗ１を吸入する吸入口を、単に「上部吸入口２０ａ」といい、中央部から下部にかけて形成され、外気Ｗ２を吸入する吸入口を単に「下部吸入口２０ｂ」という。
【００４４】
フロントグリル３は、図１に示すように、フロント樹脂部材２の開口部１０と同形状に形成されており、開口部１０に固定されるグリルベース４の前方に取り付けられている。
そして、開口部１０に取り付けられたフロントグリル３は、断面視で、図３に示すように、連結部７が成す緩やかな曲面Ｍに沿うように形成されており、フロント樹脂部材２のフードエッジ部６、連結部７、フロントバンパ部８とともに車両前面を構成している。
【００４５】
また、フロントグリル３は、図３に示すように、後方に配設されるグリルベース４の上部吸入口２０ａと下部吸入口２０ｂに、外気が流入可能とするために、上部に上部開口部３０ａが形成され、中央から下部にかけて下部開口部３０ｂが形成されている。
【００４６】
なお、フロントグリル３は、グリルベース４に固定するための構成として、背面側に、中央部に後方に突出する突出部３３と、側部に図示しない穴部が形成されている。
突出部３３は、グリルベース４の係合部２１に挿入して係合するための構成であり、グリルベース４の孔部２３ｂを挿通するビスが図示しない穴部に固定して、フロントグリル３がグリルベース４の前方に固定されるための構成である。
【００４７】
また、図４に示すように、フロントグリル３は、上端から延出してなるグリル支持部３１と凹状の嵌合部３２とが形成されている。
【００４８】
このグリル支持部３１は、図３及び図４に示すように、フロントグリル３が開口部１０に固定された場合に、フードエッジ部６がなす曲面の延長線Ｌ上まで、フロントグリル３の上端縁が前方に延出し、そして、その延長線Ｌに沿って上方に延出するとともに、さらに、前端縁延出部１２に当接する程度、後方に向かって延出してなり、断面視で略Ｕ字状に形成されている。
【００４９】
このグリル支持部３１によれば、フロントグリル３を開口部１０に固定した場合に、図４に示すように、グリル支持部３１が前方からフードエッジ部６の前端縁延出部１２に当接することができる。
また、図４に示すように、前端縁延出部１２に当接するグリル支持部３１は、前端縁延出部１２とフードエッジ部６の面の延長線Ｌとの間に生じる空間を充填する。そのため、フードエッジ部６とフロントグリル３とが面一となる。
【００５０】
一方で、嵌合部３２は、図４に示すように、略Ｕ字状に形成されてなるグリル支持部３１の内周面側に形成された溝であり、開口部１０にフロントグリル３が固定されることによって、嵌合部３２に爪部１５が挿入して嵌合する。
【００５１】
バックプレート５は、図５に示すように、グリルベース４の背面側に取り付けられて、グリルベース４の上部吸入口２０ａから流入する外気Ｗ１と、下部吸入口２０ｂから流入する外気Ｗ２とを仕切る略板状の部材である。
具体的に、バックプレート５は、図５に示すように、グリルベース４の背面から後方に向かって延出してなる仕切り部４０と、上面から前上方に延出して、前端縁延出部１２の背面に当接し押圧する押圧部４１とから構成される。
【００５２】
仕切り部４０は、図６に示すように、左右方向及び前後方向に長い板状部材であって、前端縁から下方に延出した箇所に、前後方向に貫孔する複数の孔部４２が形成されている。この孔部４２は、グリルベース４の上方に形成された孔部（不図示）に対応する位置に形成された孔であって、ビスがこの孔部４２に挿通して、グリルベース４の上部に形成された孔部（不図示）に固定されて、仕切り部４０がグリルベース４の背面に固定されている。
【００５３】
このため、車両前部１の内部空間において、図７に示すように、グリルベース４の背面側であって、上部吸入口２０ａと下部吸入口２０ｂとの間から、バックプレート５の仕切り部４０が後方に延出して、上下方向に区分けするように仕切られている。
【００５４】
また、仕切り部４０は、剛性の観点から表面上にリブ４３が形成されているとともに、後部に上下方向に貫孔する孔部４４が形成されている。この孔部４４は、図３に示すように、ビス止めにより上方に位置する取付ビーム６０に固定するための孔である。
【００５５】
押圧部４１は、バックプレート５の固定時において、フードエッジ部６の前端縁延出部１２の背面を当接可能なように、仕切り部４０の上面から前方上部側に延出する部分である。
また、押圧部４１が前端縁延出部１２に当接する前端面は、図４に示すように、上下方向に長く形成された当接面４５となっており、確実に前端縁延出部１２を押圧できるように形成されている。
【００５６】
また、押圧部４１の下部側には、図５に示すように、上部用開口部４６が形成されている。これにより、仕切り部４０の上方を流れる外気が、仕切り部４０の上方にある押圧部４１の上部用開口部４６を通過して、後方に流出することが可能となる。
【００５７】
以上、実施形態に係る車両前部構造について説明したが、実施形態のフードエッジ部６によれば、フロントグリル３が結合する前端縁延出部１２は、下方に向かって延出してなるため、金型を下方にスライドさせることにより形成可能な形状である。よって、前端縁延出部１２が一体となったフードエッジ部６を形成することができる。
【００５８】
また、このような前端縁延出部１２を有するフードエッジ部６と、フロントグリル３との取付に関しては、実施形態に示すように、グリルベース４の前方と後方に固定されたフロントグリル３とバックプレート５とにより、前端縁延出部１２を挟持する挟持構造とすることによって、取り付けることができる。
つまり、図４に示すように、フードエッジ部６の前端縁延出部１２を、フロントグリル３のグリル支持部３１とバックプレート５の押圧部４１とにより挟持する挟持構造とすることで、フードエッジ部６の下方にフロントグリル３を取り付けることが可能となる。
【００５９】
さらに、実施形態に示す挟持構造によれば、前端縁延出部１２の下端に形成された爪部１５が、フロントグリル３のグリル支持部３１の嵌合部３２に嵌合して上下方向に係合しているため、フードエッジ部６の下方に取り付けられるフロントグリル３が下方に落ちることを防止できる。
なお、前端縁延出部１２の下端に形成される爪部１５は、前方に突出してなるため、金型を下方にスライドさせることにより形成可能な形状である。
【００６０】
そして、実施形態に示す前端縁延出部１２を有するフードエッジ部６と挟持構造によれば、フードエッジ部６の面が成す曲線の延長線Ｌ上と前端縁延出部１２との間には、フロントグリル３のグリル支持部３１が配設され、前記する空間を充填する。
よって、フードエッジ部６とフロントグリル３とが面一となり、デザイン上及び空力上の要求を満たすことができる。
【００６１】
そのほか、実施形態の挟持構造において、フードエッジ部６の前端縁延出部１２の後方を押圧する部材として、フロントグリル３の上部開口部３０ａと下部開口部３０ｂから流入する外気Ｗ１、Ｗ２を仕切るバックプレート５を用いる。よって、フードエッジ部６を挟持する専用の部材が不要となり、部品点数の削減を図ることができる。
【００６２】
また、実施形態の車両前部１の内部空間は、図７に示すように、バックプレート５の仕切り部４０により、上下方向に区分けするように仕切られている。よって、上部吸入口２０ａから流入する外気Ｗ１をエンジン（不図示）に供給し、一方で、下部吸入口２０ｂから流入する外気Ｗ２をラジエタ（不図示）に供給できる。よって、実施形態の挟持構造によれば、ラジエタにより熱せられた外気をエンジンに供給する必要がなく、エンジンの吸気効率を向上させることが可能となる。
【００６３】
そのほか、実施形態に係るフロント樹脂部材２は、フードエッジ部６と連結部７とフロントバンパ部８とが一体的に形成されている。そのため、フードエッジ部６、連結部７、フロントバンパ部８のそれぞれを樹脂成形して結合する場合に比べて、剛性の強化と部品点数の減少を図ることができるとともに、フードエッジ部６と連結部７とフロントバンパ部８が一体的となっているため、連続したより滑らかな面を形成することが可能である。
【００６４】
なお、本発明の実施形態に係る車両前部構造について説明したが、本発明は実施形態に係る車両前部構造に限るものでなく、車両Ｖの構造によって、適宜変形させてもよい。
たとえば、実施形態に係るフードエッジ部６は、前後方向の長さが短いフードエッジ部６であったが、本発明はこれに限定されるものでなく、緩曲面又は急峻面に形成されたフードエッジ部であってもよい。また、本発明は、フードエッジ部６が、連結部７、フロントバンパ部８と一体になっていない場合であっても適用可能である。
【符号の説明】
【００６５】
１      車両前部
２      フロント樹脂部材
３      フロントグリル
４      グリルベース
５      バックプレート（支持部材）
６      フードエッジ部
７      連結部
８      フロントバンパ部
１０    開口部
１２    前端縁延出部
１５    爪部
３１    グリル支持部
３２    嵌合部
ＥＨ    エンジンフード
Ｖ      車両 
【図１】
0005492166.tif 000002
【図２】
0005492166.tif 000003
【図３】
0005492166.tif 000004
【図４】
0005492166.tif 000005
【図５】
0005492166.tif 000006
【図６】
0005492166.tif 000007
【図７】
0005492166.tif 000008